(57)【要約】【課題】多くの開口を持たない取付部材を相手部材に対して脱着可能に取付でき、簡単な構造で容易に形成可能なクリップを提供する。【解決手段】取付部材に保持され相手部材の開口に取付部材を脱着可能に係止するクリップを、取付部材の端部を把持する断面略コ字状の把持部と、把持部から相手部材に向かって突出し相手部材に係止される係止部と、係止部から把持部を超えて延び取付部材側から操作可能な自由端と、から構成し、自由端を操作することで係止部を相手部材との係止を解除する方向へ変位可能なものとする。【選択図】図４
2004301303.tif 000002
【特許請求の範囲】
【請求項１】
取付部材に保持され開口を持つ相手部材の該開口に該取付部材を脱着可能に係止するクリップであって、
該取付部材の端部を把持する断面略コ字状の把持部と、該把持部から該相手部材に向かって突出し該相手部材に係止される係止部と、該係止部から該把持部を超えて延び該取付部材側から操作可能な自由端と、をもち、
該自由端を操作することで該係止部を該相手部材との係止を解除する方向へ変位可能としたことを特徴とするクリップ。
【請求項２】
前記係止部および前記自由端の少なくとも一方には、前記係止部が前記相手部材との係止を解除する方向に変位した時に前記取付部材と係合して前記係止部の変位状態を保持する変位保持部をもつ請求項１に記載のクリップ。
【請求項３】
一枚の板金からプレス加工により形成されてなる請求項１または請求項２に記載のクリップ。
【発明の詳細な説明】
【０００１】
【発明の属する技術分野】
本発明は取付部材を相手部材に脱着可能に取付するクリップに関し、詳しくは取付部材に保持されつつ相手部材と係止することで取付部材を相手部材に取付するクリップに関する。
【０００２】
【従来の技術】
取付部材を相手部材に脱着可能に取付するクリップとしては、従来より種々のものが知られている（例えば、特許文献１）。
【０００３】
特許文献１に開示されているクリップは、取付部材に保持されて相手部材に係止することで、取付部材を相手部材に取付するものである。この特許文献１には、取付部材として空調用レジスタが挙げられ、相手部材として車両のインストルメントパネルが挙げられ、このクリップの相手部材との係止を解除することで、取付部材を相手部材より取り外すことができることが記載されている。特許文献１に開示される従来のクリップを用いた相手部材と取付部材との取付状態を表す模式断面図を図１に示し、この従来のクリップと相手部材との係止解除状態を表す模式断面図を図２に示す。
【０００４】
図１に示されるクリップ１００は、クリップ１００の一端に位置する組み付け部１０２と他端に位置する係止部１０３とを持ち、組み付け部１０２が取付部材１０５の取付孔１０６に係合することによって取付部材１０５に保持されるとともに、係止部１０３によって相手部材１０７と係止するものである。
【０００５】
相手部材１０７より取付部材１０５を取り外す場合には、図２に示すように、マイナスドライバー１０８を係止部１０３端部に位置する受け入れ部１１０に挿入して、マイナスドライバー１０８の操作によって組み付け部１０２と係止部１０３とを連結する弾性変形部１１１を変形させつつ係止部１０３を引込み孔１１２内に移動させる。この移動によって係止部１０３は相手部材１０７との係止を解除する方向へ変位するため、相手部材１０７と係止部１０３との係止は解除される。
【０００６】
ここで、この特許文献１に開示されるクリップ１００を取付部材１０５に取付するためには、取付部材１０５には、クリップ１００を保持するための取付孔１０６のみならず、係止を解除する際にクリップ１００の係止部１０３を収納しかつマイナスドライバー１０８の差込口となる引込み孔１１２が必要となる。このため、例えば取付部材１０５に、取付部材１０５と相手部材１０７との取付部位を視認できる開口が設けられているような場合には、この開口から取付孔１０６および引込み孔１１２が視認される場合がある。また、引込み孔１１２は比較的大きなものとなることから、この引込み孔１１２をとおして相手部材１０７までもが視認される場合もある。このため、取付部材１０５の意匠が損なわれるおそれがあった。
【０００７】
さらに、空調用レジスタ等を取付部材１０５として用いる場合には、レジスタ等の空気流路に取付孔１０６および引込み孔１１２が配置されることとなり、空気の流れが阻害されて騒音等が生じる場合があった。
【０００８】
そして、特許文献１に開示されるクリップ１００は、その構造が複雑であることから複雑な形状の成形型を要するとともに精度良い成形をおこなうことが困難であり、製造コストが増大する問題もあった。
【０００９】
【特許文献１】
特開２００１−１４０８２０号公報
【００１０】
【発明が解決しようとする課題】
本発明は、上記事情に鑑みてなされたものであり、多くの開口を持たない取付部材を相手部材に対して脱着可能に取付でき、簡単な構造で容易に形成可能なクリップを提供することを目的とする。
【００１１】
【課題を解決するための手段】
本発明のクリップは、取付部材に保持され開口を持つ相手部材の該開口に該取付部材を脱着可能に係止するクリップであって、該取付部材の端部を把持する断面略コ字状の把持部と、該把持部から該相手部材に向かって突出し該相手部材に係止される係止部と、該係止部から該把持部を超えて延び該取付部材側から操作可能な自由端と、をもち、該自由端を操作することで該係止部を該相手部材との係止を解除する方向へ変位可能としたことを特徴とする。
【００１２】
本発明のクリップによると、係止の解除操作をおこなうための自由端は取付部材の突出端と近接した位置に配置されるため、自由端を操作するための開口を別途設ける必要はなくなる。このため、取付部材の意匠性を損なうことなく相手部材に取付部材を係止することが可能となる。
【００１３】
また、本発明のクリップは、上記係止部および上記自由端の少なくとも一方には、上記係止部が上記相手部材との係止を解除する方向に変位した時に上記取付部材と係合して上記係止部の変位状態を保持する変位保持部を持つものとすることができる。
【００１４】
係止部の変位状態を変位保持部によって保持することで、取付部材を相手部材より容易に取り外すことができる。
【００１５】
本発明のクリップは、一枚の板金からプレス加工により形成されてなるものとすることができる。
【００１６】
クリップを一枚の板金からプレス加工により形成されてなるものとすることで、クリップを容易かつ安価に形成されたものとすることができる。
【００１７】
【発明の実施の形態】
本発明のクリップは、取付部材に保持され開口を持つ相手部材の開口に取付部材を脱着可能に係止するクリップである。すなわち本発明のクリップは、取付部材に保持されるとともに相手部材の開口の周縁部、または、相手部材の開口内に配置される相手部材の一部に係止されることで、取付部材と相手部材とを脱着可能に係止するものである。ここで、相手部材の開口は相手部材の一部に穿設されたものに限らない。例えば、相手部材の一部が突出するような場合、この突出した部分と相手部材の他の部分との間隙を開口とすることもできる。
【００１８】
本発明のクリップは、把持部と係止部と自由端とを持つ。把持部は取付部材の端部を把持する部分であり、取付部材の端部の形状に対応する内表面を持つ断面略コ字状に形成される。すなわち本発明のクリップは、断面略コ字状の把持部が取付部材の端部を把持することによって取付部材に保持される。ここで取付部材の端部とは、断面略コ字状の把持部によって把持可能な部分を指し、例えば取付部材の突出端を端部とすることもできるし、取付部材に設けられた開口の外縁を端部とすることもできる。
【００１９】
係止部はこの把持部から相手部材に向かって突出し、相手部材に係止される部分である。また、自由端は係止部から把持部を超えて延びる部分であり、取付部材側から操作可能な形状を持つ。
【００２０】
本発明のクリップは、自由端を操作することで、この自由端に連続する係止部を相手部材との係止を解除する方向へ変位させるものである。係止を解除する際には、例えばドライバー等で自由端を押圧し、この押圧操作によって自由端に連続する係止部を変位させることもできるし、取付部材の形状によっては、自由端を手で持ってこの自由端を操作することもできる。
【００２１】
ここで、自由端は把持部を超えて延びる形状であることから、自由端は取付部材の端部付近に突出する。したがって、自由端による係止部の変位操作、すなわち係止の解除操作は、取付部材の突出端と近接した位置でおこなわれることとなる。このため、従来のクリップのように自由端を操作するための開口を別途設ける必要はない。また、把持部および自由端に連続している係止部は、自由端の操作に伴って自由端方向に変位する。この変位によって係止部の突出高さが小さくなり、係止部と相手部材との係止が解除される。したがって、変位した係止部を収納するための開口を取付部材に設ける必要はない。このため、本発明のクリップによって取付部材と相手部材とを取付する場合には、取付部材に設ける開口の数を低減することができ、取付部材の意匠を良好に保つとともに、例えばレジスタ等を取付部材とする場合にも、開口に起因する騒音等の問題を低減することができる。
【００２２】
自由端による係止部の変位操作をおこなうためには、クリップのうち少なくとも係止部および自由端が弾性材料で形成される必要がある。弾性材料の種類はクリップの形状等により既知のものから適宜選択して使用することができるが、例えば、バネ鋼等の材料を用いることが好ましい。
【００２３】
係止部および自由端は、例えば屈曲した板状の形状に形成することもできる。例えば、板の一端が把持部より突出するとともに突出端が把持部方向に屈曲して係止部を形成し、この屈曲した部分から把持部を超えて延びる部分を自由端とすることもできる。また、上述したように把持部は断面略コ字状の形状であるため、把持部もまた屈曲した板状の形状に形成することができる。この場合、係止部、自由端および把持部の形状を極めて単純な形状とすることができるため、クリップの製造が容易になりクリップの製造コストが低減される。また、把持部を屈曲した板状のものとし、かつ、係止部および自由端を屈曲した板状のものとする場合には、本発明のクリップを、一枚の板金からプレス加工により形成されてなるものとすることができる。この場合、本発明のクリップはより容易かつ安価に製造することが可能となる。
【００２４】
本発明のクリップは、係止部および自由端の少なくとも一方に、変位保持部を設けるものとすることができる。変位保持部は、解除操作時に係止部が相手部材との係止を解除する方向に変位した時に、取付部材と係合して係止部の変位状態を保持する部位である。この変位保持部は取付部材と係合することから、取付部材に設けられた係合部の形状と対応した形状に形成される。クリップに変位保持部を設けない場合には、取付部材を相手部材より取り外す取り外し作業は自由端を操作しつつおこなう必要がある。このため、取付部材の構造によっては取り外し操作が煩雑になる場合がある。変位保持部によって係止部の変位状態を保持することで、自由端の操作は変位保持部が取付部材と係合するまでの間おこなえば済むため、取り外し操作時には、自由端の操作をおこなう必要がなくなり取り外し操作を簡単におこなうことが可能となる。なお、クリップを繰り返し用いるためには、変位保持部と取付部材との係合は容易に解除できるようにおこなわれる必要があり、係止部の変位状態を確実に保持するためには、この係合はクリップの弾性等で解除されない程度に強固におこなわれる必要があるため、係合構造は目的に応じて適宜設定することができる。
【００２５】
【実施例】
以下、本発明を図面を基にして説明する。
【００２６】
本発明の実施例のクリップは、取付部材であるレジスタを相手部材であるインストルメントパネルに脱着可能に取付するためのクリップである。本実施例のクリップの斜視図を図３に示し、本実施例のクリップを用いたレジスタとインストルメントパネルとの取付状態を表す模式断面図を図４に示し、本実施例のクリップとインストルメントパネルとの係止解除状態を表す模式断面図を図５に示す。また、以下本明細書においてクリップの上下左右とは図３に示される上下左右を指すものとする。
【００２７】
本実施例のクリップ１は、屈曲した略平板状の形状を持つものであり、一枚の板金からプレス加工により形成されてなるものである。本実施例のクリップ１は、左右に断面略コ字状の把持部２が配され、中央部に係止部３および自由端５が配されているものであり、左右の各把持部２と中央部の係止部３および自由端５とは上端側に位置する連結部６で連結されている。連結部６の上端は、クリップ１の表面側７に突出した第１のつまみ部８を形成している。この第１のつまみ部８は、クリップ１をレジスタ１０に脱着させる際の始端となる。左右の把持部２は、略同形状に形成され、後述するレジスタ１０の端部１７を把持する際にレジスタ１０の表面１２に当接する表当接部１３と、レジスタ１０の裏面１５に当接する裏当接部１６と、レジスタ１０の端面１１に当接する端当接部１８とを持つ。表当接部１３と裏当接部１６とは端当接部１８によって連結され、断面略コ字状となるように配置されている。裏当接部１６のうち端当接部１８と逆側の端部は、クリップ１の裏面２３側に突出した第２のつまみ部２０を形成している。この第２のつまみ部２０は第１のつまみ部８と同様にクリップ１をレジスタ１０に脱着させる際の始端となる。
【００２８】
クリップ１の係止部３は、連結部６で左右の把持部２と連結されこの連結部６を介して把持部２からクリップ１の表面側７に突出し、突出端で端当接部１８方向に屈曲している。係止部３のうち自由端５側の端側には、後述する係止解除操作時にレジスタ１０の係合突起２１と係合する孔が設けられ、この孔が変位保持部２２を構成している。自由端５は、係止部３の端部より端当接部１８と略同方向に延びる。また、自由端５は把持部２を超えてクリップ１の裏面２３方向に延び、端側が更にクリップ１の上方向に屈曲して操作部２５を形成している。この操作部２５の略中央部には、後述する係止解除操作時にマイナスドライバーの先端が挿入されるドライバー保持孔２６が穿設されている。
【００２９】
本実施例のクリップ１はレジスタ１０の両端にそれぞれ１個ずつ保持される。本実施例において、インストルメントパネル２７にはレジスタ１０が配置される開口２８が設けられており、レジスタ１０はこの開口２８に埋設されることから、クリップ１はインストルメントパネル２７の開口外縁３０に係止される。この係止によって、レジスタ１０をインストルメントパネル２７に取付する。レジスタ１０のうち開口２８の表出部３１側には、レジスタ１０と一体化されたベゼル３２が配置され、このベゼル３２もレジスタ１０と同様に開口２８に埋設される。
【００３０】
レジスタ１０の両端のうちベゼル３２との接合部には取付孔３３が穿設されている。この取付孔３３の周縁が端部１７となる。また、レジスタ１０のうち、インストルメントパネル２７と近接する面が把持部２の表当接部１３と当接する表面１２となり、取付孔３３の外縁が把持部２の端当接部１８と当接する端面１８となり、表面１２と対向する面が把持部２の裏当接部１６と当接する裏面１５となる。なお、端面１８の略中央部には、取付孔３３内部に向けて突出する係合突起２１が設けられている。クリップ１は、端部１７を把持するように端部１７に装着されて、レジスタ１０に保持される。このとき係止部３は、クリップ１の表面７側、すなわちインストルメントパネル２７方向に突出し、インストルメントパネル２７の開口外縁３０に係止される。そして、係止部３から把持部２を超えて延びる自由端５は取付孔３３内部に挿入されてレジスタ１０の裏面１５側に突出する。
【００３１】
クリップ１のレジスタ１０に対する挿入操作とインストルメントパネル２７に対する係止操作は以下のようにおこなわれる。
【００３２】
先ず、クリップ１の把持部２を弾性変形させつつ第２のつまみ部２０を取付孔３３内部に挿入する。次に、裏当接部１６、端当接部１８の順で把持部２を取付孔３３内部に挿入して把持部２に端部１７を把持させる。
【００３３】
このとき、同時に自由端５および係止部３を弾性変形させつつ自由端５の操作部２５を取付孔３３内部に挿入し、次いで自由端５の全体を取付孔３３内部に挿入する。この状態でレジスタ１０およびレジスタ１０に一体化されているベゼル３２を開口２８内部に挿入すると、係止部３の連結部６側の部分がインストルメントパネル２７の開口外縁３０に押圧され、係止部３が弾性変形する。このとき、係止部３の自由端５側の部分が取付孔３３内に一部挿入されて、係止部３の突出高さが小さくなる。したがって、係止部３は開口外縁３０を通過してインストルメントパネル３７の開口外縁３０の裏面側３４に配置されるとともに、レジスタ１０およびベゼル３２が取付位置に配置される。また、インストルメントパネル３７の開口外縁３０の裏面側３４に配置された係止部３は、再度弾性変形してもとの形状に戻り、裏面側３４より開口外縁３０に係合する。
【００３４】
インストルメントパネル２７と係止部３との係止の解除操作は以下のようにおこなわれる。
【００３５】
先ず、ベゼル３２の開口３５よりレジスタ１０の内部中空３６にマイナスドライバー３７を挿入し、レジスタ１０の裏面１５側であるレジスタ１０の内部中空３６に突出する自由端５のドライバー保持孔２６にこのマイナスドライバー３７の先端を挿入する。
【００３６】
次に、マイナスドライバー３７を内部中空３６の奥側に向けて押し込み、自由端５をレジスタ１０の裏面１５方向に変位させる。このとき、自由端５に連続する係止部３は、自由端５の変位に伴って取付孔３３内部方向に変位する。このため、係止部３の突出高さは小さくなり、インストルメントパネル２７との係止は解除される。なお、この係止解除操作時には、係止部３が端面１８方向に押圧されて、端面１８に設けられた係合突起２１に係止部３の変位保持部２２が係合する。したがって、係止部３の変位状態はこの係合によってロックされることとなる。
【００３７】
係止部３の変位状態がロックされ、係止部３とインストルメントパネル２７との係止が解除された状態で、ベゼル３２を開口２８の表出部側３１方向に引き抜く。本実施例において、ベゼル３２はインストルメントパネル２７の表皮材３８および発泡層４０とに弾接してインストルメントパネル２７に固定されていることから、引き抜くのみでインストルメントパネル２７より取り外すことができる。ベゼル３２を引き抜いた後に、レジスタ１０を開口２８の表出部側３１方向に引き抜くことで、相手部材４１であるインストルメントパネル２７から取付部材４２であるレジスタ１０を簡単に取り外すことができる。
【００３８】
【発明の効果】
以上述べてきたように、本発明のクリップによると、多くの開口を持たない取付部材を相手部材に対して脱着可能に取付できる。
【００３９】
また、例えば取付部材をレジスタとする場合には、多くの開口を設ける必要がないためレジスタの意匠が向上されるとともに、開口によるレジスタ内の空気流路の阻害を低減することができる。
【００４０】
そして、クリップは簡単な構造のものであるため、容易に形成可能であり、製造コストが低減される。また、クリップを一枚の板金からプレス加工により形成されてなるものとする場合には、さらに容易かつ安価に形成することが可能となる。
【図面の簡単な説明】
【図１】従来のクリップを用いた相手部材と取付部材との取付状態を表す模式断面図である。
【図２】従来のクリップと相手部材との係止解除状態を表す模式断面図である。
【図３】本発明の実施例のクリップの斜視図である。
【図４】本発明の実施例のクリップを用いたレジスタとインストルメントパネルとの取付状態を表す模式断面図である。
【図５】本発明の実施例のクリップとインストルメントパネルとの係止解除状態を表す模式断面図である。
【符号の説明】
１００：クリップ  １０２：組み付け部  １０３：係止部  １０５：取付部材  １０６：取付孔  １０７：相手部材  １１２：引込み孔
１：クリップ  ２：把持部  ３：係止部  ５：自由端  １０：レジスタ  １７：レジスタの端部  ２２：変位保持部  ２７：インストルメントパネル  ２８：開口  ３０：開口外縁  ３３：取付孔  ４１：相手部材  ４２：取付部材
【図１】
2004301303.tif 000003
【図２】
2004301303.tif 000004
【図３】
2004301303.tif 000005
【図４】
2004301303.tif 000006
【図５】
2004301303.tif 000007